【手続補正書】
【提出日】平成27年9月30日(2015.9.30)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールに対応して設けられ、前記リールを停止させるときに遊技者が操作するストップスイッチと、
役の抽選を行う役抽選手段と、
前記リールの回転開始命令を受けたときに前記リールの回転を開始し、前記ストップスイッチが操作されたときに対応する前記リールを停止制御するリール制御手段と、
前記ストップスイッチの操作情報を報知する報知制御手段と
を備え、
前記役抽選手段は、少なくとも、特定小役を含む第１重複当選と、前記特定小役を含む当選であって第１重複当選とは異なる第２重複当選と、特別役の当選と、リプレイの当選とを有するように役の抽選を行い、
遊技状態として、前記特別役に当選していない非内部中遊技と、前記特別役に当選している内部中遊技と、前記特別役に対応する図柄の組合せが停止したときに実行される特別遊技とを有し、
前記特定小役に対応する図柄の組合せが停止したときは、前記特定小役に対応する図柄の組合せの停止に応じた遊技媒体を遊技者に付与するように制御し、
前記リプレイに対応する図柄の組合せが停止したときは、遊技者に再遊技を行わせるように制御し、
前記非内部中遊技及び前記内部中遊技では、１遊技あたりの遊技媒体の投入数は、第１規定数に設定され、
前記特別遊技では、１遊技あたりの遊技媒体の投入数は、第２規定数に設定され、
前記役抽選手段は、
前記非内部中遊技及び前記内部中遊技では、同一の確率で第１重複当選となるように役の抽選を行い、
前記非内部中遊技及び前記内部中遊技では、同一の確率で第２重複当選となるように役の抽選を行い、
前記内部中遊技では、前記非内部中遊技より高い確率で、前記リプレイに当選するように役の抽選を行い、
前記特別遊技では、前記特定小役を含む複数の役に当選した状態となるように制御し、
前記リール制御手段は、
前記内部中遊技において第１重複当選となったときは、前記特別役に対応する図柄の組合せより、第１重複当選に係る役に対応する図柄の組合せを優先して停止させるように、前記リールを停止制御し、
前記内部中遊技において第２重複当選となったときは、前記特別役に対応する図柄の組合せより、第２重複当選に係る役に対応する図柄の組合せを優先して停止させるように、前記リールを停止制御し、
前記特定小役の配当は、１遊技あたりの遊技媒体の投入数に応じて設定されており、
１遊技あたりの遊技媒体の投入数が第１規定数のときは、前記特定小役の配当は、第１規定数より多い数に設定され、
１遊技あたりの遊技媒体の投入数が第２規定数のときは、前記特定小役の配当は、第２規定数と同数以下に設定され、
前記報知制御手段は、前記内部中遊技における演出状態が所定の演出状態に制御されている場合において、第１重複当選となったときは、前記特定小役に対応する図柄の組合せが停止可能となる第１操作情報を報知し、第２重複当選となったときは、前記特定小役に対応する図柄の組合せが停止可能となる操作情報であって第１操作情報とは異なる第２操作情報を報知する
ことを特徴とするスロットマシン。
【手続補正２】
【補正対象書類名】明細書
【補正対象項目名】０００１
【補正方法】変更
【補正の内容】
【０００１】
本発明は、ストップスイッチの操作情報を報知するスロットマシンに関するものである。
【手続補正３】
【補正対象書類名】明細書
【補正対象項目名】０００２
【補正方法】変更
【補正の内容】
【０００２】
従来のスロットマシンにおいて、遊技者にとって有利となるストップスイッチの操作情報を報知するスロットマシンが知られている（特許文献１及び２参照）。
【手続補正４】
【補正対象書類名】明細書
【補正対象項目名】０００３
【補正方法】削除
【補正の内容】
【手続補正５】
【補正対象書類名】明細書
【補正対象項目名】０００５
【補正方法】変更
【補正の内容】
【０００５】
本発明が解決しようとする課題は、所定の演出状態に制御した場合において、ストップスイッチの操作情報を報知したときに、遊技者が遊技媒体を獲得しやすくすることである。
【手続補正６】
【補正対象書類名】明細書
【補正対象項目名】０００６
【補正方法】変更
【補正の内容】
【０００６】
本発明は、以下の解決手段によって、上述の課題を解決する。なお、かっこ書きにて、対応する実施形態を示す。
請求項１の発明は、
複数種類の図柄を表示した複数（左、中、右の３個）のリール（３１）と、
各前記リールに対応して設けられ、前記リールを停止させるときに遊技者が操作するストップスイッチ（４２）と、
役の抽選を行う役抽選手段（６１）と、
前記リールの回転開始命令を受けたときに前記リールの回転を開始し、前記ストップスイッチが操作されたときに対応する前記リールを停止制御するリール制御手段（６４）と、
前記ストップスイッチの操作情報を報知する報知制御手段（８２）と
を備え、
前記役抽選手段は、少なくとも、特定小役（ベル０１）を含む第１重複当選（第１ベル当選）と、前記特定小役を含む当選であって第１重複当選とは異なる第２重複当選（第２ベル当選）と、特別役（ＭＢ）の当選と、リプレイの当選とを有するように役の抽選を行い、
遊技状態として、前記特別役に当選していない非内部中遊技と、前記特別役に当選している内部中遊技と、前記特別役に対応する図柄の組合せが停止したときに実行される特別遊技（ＭＢ遊技）とを有し、
前記特定小役に対応する図柄の組合せ（「ベル」−「ベル」−「ベル」）が停止したときは、前記特定小役に対応する図柄の組合せの停止に応じた遊技媒体を遊技者に付与するように制御し、
前記リプレイに対応する図柄の組合せが停止したときは、遊技者に再遊技を行わせるように制御し、
前記非内部中遊技及び前記内部中遊技では、１遊技あたりの遊技媒体の投入数は、第１規定数（３枚）に設定され、
前記特別遊技では、１遊技あたりの遊技媒体の投入数は、第２規定数（２枚）に設定され、
前記役抽選手段は、
前記非内部中遊技及び前記内部中遊技では、同一の確率で第１重複当選となるように役の抽選を行い、
前記非内部中遊技及び前記内部中遊技では、同一の確率で第２重複当選となるように役の抽選を行い、
前記内部中遊技では、前記非内部中遊技より高い確率で、前記リプレイに当選するように役の抽選を行い、
前記特別遊技では、前記特定小役を含む複数の役に当選した状態となるように制御し、
前記リール制御手段は、
前記内部中遊技において第１重複当選となったときは、前記特別役に対応する図柄の組合せより、第１重複当選に係る役に対応する図柄の組合せを優先して停止させるように、前記リールを停止制御し、
前記内部中遊技において第２重複当選となったときは、前記特別役に対応する図柄の組合せより、第２重複当選に係る役に対応する図柄の組合せを優先して停止させるように、前記リールを停止制御し、
前記特定小役の配当は、１遊技あたりの遊技媒体の投入数に応じて設定されており、
１遊技あたりの遊技媒体の投入数が第１規定数のときは、前記特定小役の配当は、第１規定数より多い数（９枚）に設定され、
１遊技あたりの遊技媒体の投入数が第２規定数のときは、前記特定小役の配当は、第２規定数と同数以下（２枚）に設定され、
前記報知制御手段は、前記内部中遊技における演出状態（サブ遊技状態）が所定の演出状態（ＡＴ遊技）に制御されている場合において、第１重複当選となったときは、前記特定小役に対応する図柄の組合せが停止可能となる第１操作情報（左第１停止の押し順）を報知し、第２重複当選となったときは、前記特定小役に対応する図柄の組合せが停止可能となる操作情報であって第１操作情報とは異なる第２操作情報（中左右の押し順）を報知する
ことを特徴とする。
【手続補正７】
【補正対象書類名】明細書
【補正対象項目名】０００７
【補正方法】変更
【補正の内容】
【０００７】
本発明によれば、内部中遊技では、リプレイの当選確率が非内部中遊技より高くなる。また、内部中遊技では、第１重複当選時には、特別役より第１重複当選に係る役に対応する図柄の組合せを優先して停止させ、第２重複当選時には、特別役より第２重複当選に係る役に対応する図柄の組合せを優先して停止させる。このため、内部中遊技に滞在しやすくなる。
さらに、内部中遊技では、特定小役の配当が、遊技媒体の投入数より多くなる。そして、内部中遊技において所定の演出状態のときは、第１重複当選時には、特定小役に対応する図柄の組合せが停止可能となる第１操作情報を報知し、第２重複当選時には、特定小役に対応する図柄の組合せが停止可能となる第２操作情報を報知する。これにより、所定の演出状態のときに、遊技者が遊技媒体を獲得しやすくすることができる。